(57)【要約】【課題】  従来類似の装飾効果を安価に生み出す。【解決手段】  器具本体１０を備える。器具本体１０の下面側に配置する光源２０を備える。光源２０は二重環形の環状蛍光ランプ２０である。器具本体１０における蛍光ランプ２０の側を覆う透光カバー３０を備える。透光カバー３０における外縁部に配置される透明な飾り板４０を備える。  飾り板４０に入光端面部４１を形成する。入光端面部４１は蛍光ランプ２０で形成された光をほぼ垂直に受け該飾り板４０内部に光を導くものである。飾り板４０に高輝部４９を形成する。高輝部４９は飾り板４０内部の光の進路を妨げ飾り板４０の外部に光を放出するものである。蛍光ランプ２０の点灯時に高輝部４９をそれ以外の区域よりも相対的に高輝度とする。高輝部４９は従来の飾りモールに対応する。【選択図】    図６
2006040851.tif 000002
【特許請求の範囲】
【請求項１】
器具本体を備え、前記器具本体の下面側に配置する光源を備え、前記器具本体における前記光源の側を覆う透光カバーを備え、前記透光カバーにおける外縁部に配置される透明な飾り板を備え、前記飾り板に入光端面部を形成し、前記入光端面部は前記光源で形成された光をほぼ垂直に受け該飾り板内部に光を導入するものであり、前記飾り板に高輝部を形成し、前記高輝部は前記飾り板内部の光の進路を妨げ前記飾り板の外部に光を放出するものであり、前記光源の点灯時に前記高輝部をそれ以外の区域よりも相対的に高輝度としたことを特徴とする照明器具。
【発明の詳細な説明】
【技術分野】
【０００１】  本発明は、器具本体を備え、その下面側に配置する透光カバーを備え、その外縁部に飾りを設ける形態の照明器具に関するものである。
【背景技術】
【０００２】  器具本体を備え、前記器具本体の下面側に配置する光源を備え、前記器具本体における前記光源の側を覆う透光カバーを備えた照明器具は汎用されている。しかして、単なる透光カバーだけでは殺風景である。前記透光カバーの外側に飾り枠を設け、さらにその飾り枠に飾りモールを配置し、意匠効果を高めることも知られている。飾りモールは一本のあるいは複数本の例えば金色の輪状のものであり、見栄えをよくする。
【発明の開示】
【発明が解決しようとする課題】
【０００３】  飾り枠に飾りモールを付加するのでは材料費が嵩み、手間が掛かる。本発明の目的は類似の装飾効果を安価に生み出すことである。
【課題を解決するための手段】
【０００４】  本発明器具は、器具本体を備える。前記器具本体の下面側に配置する光源を備える。前記器具本体における前記光源の側を覆う透光カバーを備える。前記透光カバーにおける外縁部に配置される透明な飾り板を備える。
前記飾り板に入光端面部を形成する。前記入光端面部は前記光源で形成された光をほぼ垂直に受け該飾り板内部に光を導くものである。前記飾り板に高輝部を形成する。前記高輝部は前記飾り板内部の光の進路を妨げ前記飾り板の外部に光を放出するものである。前記光源の点灯時に前記高輝部をそれ以外の区域よりも相対的に高輝度とする。前記高輝部は従来の飾りモールに対応するが、該飾り板と一体のものである。
【発明の効果】
【０００５】  本発明においては、飾り板それ自身に入光端面部・高輝部を設け、それによる光学的な高輝度部を形成し、それを飾りモールの代用品として活用する。これによれば、装飾効果の高い安価な照明器具が得られる。
【発明を実施するための最良の形態】
【０００６】  図１〜図９を用いて、本発明の実施形態について説明する。図示の照明器具は環状蛍光灯器具である。同器具は器具本体１０を備える。器具本体１０の下面側に配置する光源２０を備える。光源２０は二重環形の環状蛍光ランプ２０である。器具本体１０における蛍光ランプ２０の側を覆う透光カバー３０を備える。透光カバー３０における外縁部に配置される透明な飾り板４０を備える。
飾り板４０に入光端面部４１を形成する。入光端面部４１は蛍光ランプ２０で形成された光をほぼ垂直に受け該飾り板４０内部に光を導くものである。飾り板４０に高輝部４９を形成する。高輝部４９は飾り板４０内部の光の進路を妨げ飾り板４０の外部に光を放出するものである。蛍光ランプ２０の点灯時に高輝部４９をそれ以外の区域よりも相対的に高輝度とする。高輝部４９は従来の飾りモールに対応する。【０００７】  器具本体１０は金属製かつ円板状であり、図外の点灯装置が付属する。器具本体１０は図外の天井面に着脱自在に装着される。蛍光ランプ２０は図外のランプホルダーで着脱自在に保持される。透光カバー３０は乳白色かつ拡散透光性である。透光カバー３０は合成樹脂による圧空成形品であり、変形逆皿状を呈する。飾り板４０はポリスチレン樹脂で一体に成形されたものである。飾り板４０輪状を呈する。飾り板４０は透光カバー３０の最外周部に係合される。飾り板４０における高輝部は３個であり、三重である。
透明な飾り板４０は導光板として機能する。ポリスチレン製の飾り板４０の屈折率は約１．６である。その臨界角は約３９度である。飾り板４０内部のほとんどの光は板面に当たって全反射する。内部の光が板面に当たっても当該板面箇所に対する入射角が約３９度〜９０度のときは全反射し、外に出ない。入射角が約３９度〜０度のときは当該板面箇所を越えて出光する。
蛍光ランプ２０の点灯時に高輝部４９はそれ以外の区域よりも相対的に高輝度となる。図９はこの状況を表す。図９は図示構造の試作品を透光カバー３０の側からデジタルカメラで撮影し、モノクロモードでプリントアウトしたものである。図９のように透光カバー３０が見え、その周囲に高輝度の輪Ａ・Ｂ・Ｃ・Ｄが見える。飾り板４０は透明であり、それ自体の形状等は不明瞭である。高輝度の輪Ａ・Ｂ・Ｃは高輝部４９に対応する。最内側の高輝度の輪Ｄは飾り板４０における出光端面部４８に対応する。
図６〜図８における各矢印は光の進路を表す。各矢印はほぼその方向の光を代表する。入光端面部４１から入った図６矢印の光の一部は各高輝部４９に当たり、図７矢印の光を派生する。図６矢印は大きな光の流れであり、図７矢印は小さな光の流れである。図７矢印の光は透光カバー３０側から観察可能であり、各高輝部４９が輝いて見え、図９の高輝度の輪Ａ・Ｂ・Ｃを形成する。
図８は高輝度の輪Ｄの説明である。飾り板４０の４２の箇所も入光端面部となる。入光端面部４２から入った矢印の光は矢印のごとくに進み、飾り板４０における出光端面部４８を介して飾り板４０外へ出る。これにより、図９における高輝度の輪Ｄが出現する。
飾り板４０の入光端面部４１は光をほぼ垂直に受ける。斜めに受けたのでは飾り板４０内部に光りが入らない。本発明は図示の環状蛍光灯器具の外、直管形蛍光灯器具・白熱灯器具の等にも適用可能であるが、いずれの場合も入光端面部４１で光をほぼ垂直に受けることが必要である。
【図面の簡単な説明】
【００１０】
【図１】本発明に係る照明器具の正面図
【図２】同器具の平面図
【図３】同器具の底面図
【図４】同器具の左半分を示す拡大断面図
【図５】図４のさらなる要部拡大図
【図６】図５を用いた第１説明図
【図７】図５を用いた第２説明図
【図８】図５を用いた第３説明図
【図９】飾り板の見え方を示す第４説明図
【符号の説明】
１０：器具本体
２０：蛍光ランプ
３０：透光カバー
４０：飾り板
４１：入光端面部
４２：入光端面部
４９：高輝部
４８：出光端面部
Ａ・Ｂ・Ｃ・Ｄ：高輝度の輪
【図１】
2006040851.tif 000003
【図２】
2006040851.tif 000004
【図３】
2006040851.tif 000005
【図４】
2006040851.tif 000006
【図５】
2006040851.tif 000007
【図６】
2006040851.tif 000008
【図７】
2006040851.tif 000009
【図８】
2006040851.tif 000010
【図９】
2006040851.tif 000011